(57)【要約】【課題】汎用性を高めて十分に活用すると共に製造コストを低減するシートカバーを提供する。【解決手段】本のカバーを形成し得るカバー部２と、カバー部２に連なるようカバー部２の少なくとも一辺に形成され且つシート状の対象物を挟み込んで保持し得るファイル部３とを備え、ファイル部３とカバー部２の間にはファイル部３を切り離す切離手段４を備える。【選択図】図１
0003120364.tif 000002
【実用新案登録請求の範囲】
【請求項１】
本のカバーを形成し得るカバー部と、該カバー部に連なるようカバー部の少なくとも一辺に形成され且つシート状の対象物を挟み込んで保持し得るファイル部とを備え、前記ファイル部とカバー部の間にはファイル部を切り離す切離手段を備えたことを特徴とするシートカバー。
【請求項２】
本のカバーを形成し得るカバー部と、該カバー部に連なるようカバー部の一辺に形成されるファイル部とを備え、
前記カバー部は、本の一方の表紙頁を挟み込むようシート本体の一辺を折り返して形成される挟込部と、挟込部から展開して他方の表紙頁を覆うシート本体の展開部とを備え、
前記ファイル部は、シート状の対象物を挟み込んで保持し得るよう、挟込部と反対側位置でシート本体の他辺を折り返して形成される保持面を備え、
前記カバー部とファイル部の間にはファイル部を切り離す切離線を形成したことを特徴とするシートカバー。
【考案の詳細な説明】
【技術分野】
【０００１】
本考案は、シートカバーに関するものである。
【背景技術】
【０００２】
一般に、本の表紙に被せるシートカバーは、一端に折返部分を備えた一枚のシートから構成されており、シートカバーを使用する際には、折返部分で本の一方の表紙面を挟み込み、次いでシートカバーを一方の表紙面から背部を介して他方の表紙面まで掛けまわして本の表紙を覆い、更に、他方の表紙面からはみ出した部分を本の内側へ折り込んでシートカバーを使用している。
【０００３】
又、他の例のカバーには、本の裏表紙を挿通して固定するための表紙挿通用帯部を備えるものがある（例えば、特許文献１参照。）。
【０００４】
尚、このような別の例のカバーとしては、例えば、特許文献２がある。
【特許文献１】特開２００３−７２２６１号公報
【特許文献２】特開２００５−２６２６９３号公報
【考案の開示】
【考案が解決しようとする課題】
【０００５】
しかしながら、このようなシートカバーは、本のカバー以外に用途がないため、汎用性に乏しく、十分に活用することができないという問題があった。又、特許文献１の如く表紙挿通用帯部を設けた際には、製造時に一枚のシート本体と別に他のシート部材を必要とするため、製造コストが著しく上昇するという問題があった。
【０００６】
本考案は、斯かる実情に鑑み、汎用性を高めて十分に活用すると共に製造コストを低減するシートカバーを提供しようとするものである。
【課題を解決するための手段】
【０００７】
本考案は、本のカバーを形成し得るカバー部と、該カバー部に連なるようカバー部の少なくとも一辺に形成され且つシート状の対象物を挟み込んで保持し得るファイル部とを備え、前記ファイル部とカバー部の間にはファイル部を切り離す切離手段を備えたことを特徴とするシートカバーにかかるものである。
【０００８】
本考案は、本のカバーを形成し得るカバー部と、該カバー部に連なるようカバー部の一辺に形成されるファイル部とを備え、
前記カバー部は、本の一方の表紙頁を挟み込むようシート本体の一辺を折り返して形成される挟込部と、挟込部から展開して他方の表紙頁を覆うシート本体の展開部とを備え、
前記ファイル部は、シート状の対象物を挟み込んで保持し得るよう、挟込部と反対側位置でシート本体の他辺を折り返して形成される保持面を備え、
前記カバー部とファイル部の間にはファイル部を切り離す切離線を形成したことを特徴とするシートカバーにかかるものである。
【０００９】
而して、本考案のシートカバーによれば、カバー部からファイル部を切り離すことにより、カバー部を本のカバーとして使用し得ると共にファイル部をシート状の対象物の保持手段として使用し得るので、カバー部のみ場合と異なり、汎用性を高めて十分に活用することができる。
【００１０】
又、本考案のシートカバーによれば、ファイル部はカバー部に連なるように形成されるので、シートカバーを製造する際には、一枚のシート本体で製造し、製造コストを低減することができる。
【考案の効果】
【００１１】
本考案のシートカバーによれば、カバー部を本のカバーとして使用し得ると共にファイル部をシート状の対象物の保持手段として使用し得るので、カバー部のみ場合と異なり、汎用性を高めて十分に活用することができるという優れた効果を奏し得る。
【考案を実施するための最良の形態】
【００１２】
以下、本考案の実施の形態を添付図面を参照して説明する。
【００１３】
図１〜図６は本考案を実施する形態例である。
【００１４】
本考案を実施する形態例のシートカバー１は、本のカバーを形成し得るカバー部２と、カバー部２に連なるようカバー部２の一辺に形成されるファイル部３とを備えており、カバー部２とファイル部３の境目には、両者を切離可能にするように切離線（切離手段）４として、ミシン目、厚みが薄くなっているハーフカット、切り離すことを明示する指示書き（例えば「切り離し線」）等を構成している（図ではミシン目を示す）。
【００１５】
カバー部２は、一枚のシート本体５の一辺（図１，２では左方側辺）を折り返して袋状に形成される挟込部６と、挟込部６の折返部分から展開して形成されるシート本体５の展開部７とを備えており、挟込部６は、下辺に熱圧着の接合部分８を形成して内方側辺及び上辺を開放し、又、展開部７は、本の一方の表紙頁、背表紙、他方の表紙頁に対応する面を形成している。更に、展開部７の中途位置には、本の背表紙に対応してシート本体５を折曲可能にする複数の第一折線９と、他方の表紙頁で折返部分を形成するようシート本体５を折曲可能にする複数の第二折線１０と備えている。なお、挟込部６や展開部７の面には、カードＣ等を差込可能にする係止用の切込１１を形成しても良い。
【００１６】
ファイル部３は、カバー部２と連なるよう、一枚のシート本体５の他辺（図１，２では右方側辺）を折り返して、カバー部２の挟込部６と反対側位置に保持面１２を形成しており、保持面１２は、下辺に熱圧着の接合部分１３を形成して内方側辺及び上辺を開放している。ここで、保持面１２の内方側辺の端部は、切離線４に合致するように形成されており、又、ファイル部３の面には、カバー部２と同様に、カードＣ等を差込可能にする係止用の切込を形成しても良い。
【００１７】
次に、本考案のシートカバー１の製造方法を説明する。
【００１８】
シートカバー１を製造する際には、図２に示す如く、透明な樹脂等の一枚のシート本体５で全体の外形を成形すると同時にシート本体５の中途位置に第一折線９、第二折線１０を形成し、次に、シート本体５の一辺（図２では左方側辺）をカバー部２用の折返線１４で折り返すと共に、シート本体５の他辺（図２では右方側辺）をファイル部３用の折返線１５で折り返し、続いて、図１に示す如く、シート本体５の一辺側で、折り返した部分の下辺に熱圧着の接合部分８を形成してカバー部２の袋状の挟込部６を形成すると共に、シート本体５の他辺側で、折り返した部分の下辺に熱圧着の接合部分１３を形成してファイル部３の保持面１２を固定し、カバー部２及びファイル部３からなるシートカバー１を製造する。ここで、切離線４を作成する段階は、特に限定されるものではないが、ミシン目やハーフカットの場合には第一折線９、第二折線１０の形成時が好ましく、指示書きの場合には他の文字や図形の印刷時が好ましい。又、シート本体５の外形を形成する際には、同時に係止用の切込１１を形成しても良い。
【００１９】
続いて、本考案のシートカバー１の使用方法を説明する。
【００２０】
シートカバー１を使用する際には、図３に示す如く、カバー部２からファイル部３を切離線４で切り離してカバー部２とファイル部３とを別個に準備する。
【００２１】
カバー部２を使用する際には、挟込部６に本の一方の表紙頁を挟み込み、展開部７を本の一方の表紙頁から背表紙を介して他方の表紙頁まで掛けまわすと同時に、第一折線９を折り曲げて背表紙部分の厚みに合わせ、次に、展開部７の先端を第二折線１０で折り曲げて他方の表紙頁の内側へ折り込み、カバー部２の全体の大きさを、本の一方の表紙頁、背表紙、他方の表紙頁の大きさに合わせ、図４の状態でカバー部２を使用する。なお、図４は、本を記載せず、カバー部２のみを記載している。
【００２２】
ファイル部３を使用する際には、シート本体５と折り返した保持面１２との間に、紙、布、樹脂シート等のシート状の対象物を挟み込んで保持し、ファイル部３を使用する。
【００２３】
一方、カバー部２とファイル部３を分離する前には、図５に示す如く、カバー部２の挟込部６と、ファイル部３の保持面１２とに、夫々チラシ（シート状の広告物）Ａ１を入れ、シートカバー１を頒布物として譲渡しても良いし、図６に示す如く、カバー部２の挟込部６とファイル部３の保持面１２とに、一枚の大判チラシ（シート状の広告物）Ａ２を入れ、シートカバー１を頒布物として譲渡しても良い。
【００２４】
このように、本考案の実施の形態例によれば、カバー部２からファイル部３を切り離すことにより、カバー部２を本のカバーとして使用し得ると共にファイル部３をシート状の対象物の保持手段として使用し得るので、カバー部２のみ場合と異なり、汎用性を高めて十分に活用することができる。
【００２５】
又、本考案のシートカバー１によれば、ファイル部３はカバー部２に連なるように形成されるので、シートカバー１を製造する際には、一枚のシート本体５で製造し、製造コストを低減することができる。
【００２６】
尚、本考案のシートカバーは、上述の図示例にのみ限定されるものではなく、カバー部に複数のファイル部を形成しても良いこと、カバー部の大きさは本の大きさに対応するものならば特に限定されるものではないこと、カバー部及び／又はファイル部に絵や文字等を配しても良いこと、第一折線及び第二折線を一本にしても良いこと、その他、本考案の要旨を逸脱しない範囲内において種々変更を加え得ることは勿論である。
【図面の簡単な説明】
【００２７】
【図１】本考案のシートカバーを実施する形態例を示す正面図である。
【図２】本考案のシートカバーを製造する最初の段階を示すシート本体の展開図である。
【図３】本考案のシートカバーを実施する形態例においてファイル部を切り離した状態を示す概念図である。
【図４】本考案のシートカバーを実施する形態例においてカバー部を折り曲げた状態を示す概念図である。
【図５】本考案のシートカバーを実施する形態例においてカバー部及びファイル部に夫々シート状の広告物を挟み込む状態を示す概念図である。
【図６】本考案のシートカバーを実施する形態例においてカバー部及びファイル部に一枚のシート状の広告物を挟み込む状態を示す概念図である。
【符号の説明】
【００２８】
１  シートカバー
２  カバー部
３  ファイル部
４  切離線（切離手段）
５  シート本体
６  挟込部
７  展開部
１２  保持面
【図１】
0003120364.tif 000003
【図２】
0003120364.tif 000004
【図３】
0003120364.tif 000005
【図４】
0003120364.tif 000006
【図５】
0003120364.tif 000007
【図６】
0003120364.tif 000008